(57)【要約】【課題】側溝を覆う蓋の長手方向および幅方向の移動を抑えて蓋どうしおよび側溝本体とのぶつかりをなくして騒音を低減させることができる側溝の蓋を提供する。【解決手段】上部が開放された縦断面がＵ字形であって、両側壁２ａの上部の内側に蓋掛け部３が形成された側溝１に被せる蓋４において、蓋４の長手方向の一方の端面および幅方向の両側の側面のそれぞれに間隔をおいて一対の球面状の突起６，７を設けた蓋。【選択図】    図３
2004156263.tif 000002
【特許請求の範囲】
【請求項１】
上部が開放された縦断面がＵ字形であって、両側壁の上部の内側に蓋掛け部が形成された側溝に被せる蓋において、蓋の長手方向の一方の端面および幅方向の両側の側面のそれぞれに間隔をおいて一対の球面状の突起を設けたことを特徴とする側溝の蓋。
【請求項２】
前記端面が上面から下面に向かって蓋の内側に傾斜し、隣接する蓋の端面とにより下向きに末広がりの隙間を形成する傾斜面であることを特徴とする請求項１記載の側溝の蓋。
【請求項３】
前記側壁の蓋掛け部に支持される、蓋の下面に凸条を形成したことを特徴とする請求項１記載の側溝の蓋。
【請求項４】
前記凸条が前記蓋掛け部に形成されたへこみに位置決めされる凸条であることを特徴とする請求項３記載の側溝の蓋。
【発明の詳細な説明】
【０００１】
【発明の属する技術分野】
本発明は、上部が開放された縦断面がＵ字形であって、両側壁の上部の内側に蓋掛け部が形成された側溝に被せる蓋に関する。
【０００２】
【従来の技術】
雨水を排水するための排水路や電線路などが蓋付き側溝を連続的に敷設して形成されている。図４は従来の蓋付き側溝の断面図で、側溝本体１の側壁２ａ，２ｂの上部に段部が形成された蓋掛け部３に蓋４を支持する構造となっている。側溝本体１の端面には、隣り合う側溝本体１との密着性を向上させるために、ゴムなどからなるシール材２ｃが設けられている。
【０００３】
蓋４の下面の両側が蓋掛け部３の段部に一致して支持されていないと、蓋掛け部３に支持した蓋４の上を車両などが通過すると、蓋４が蓋掛け部３に不均衡に支持されているため、揺動してガタガタと騒音を発する。そこで、本出願人は、」騒音の発生を低減することができる蓋付き側溝を提案した（特許文献１参照）。
【０００４】
特許文献１の、側溝本体１の上部に被せる蓋４は、図３において、側溝本体１の蓋掛け部３に支持される両側の下面には、それぞれ長手方向に下向きの凸条５が形成されている。
【０００５】
蓋４は、図２（ａ）に示すように、連続して側溝本体の壁２ａ，２ｂの上部に形成された蓋掛け部３に並べられる。蓋４の凸条５が、蓋掛け部３の蓋支持面３ａに線で支持されて自動調心されるために、上下方向に対するガタつきがなくなり、騒音を低減することができる。
【０００６】
【特許文献１】
特開２００２−２１３０１１号公報
【０００７】
【発明が解決しようとする課題】
前記の凸条を有する蓋では、上下方向に対するガタつきを低減することができる。しかしながら、蓋を連続して並べた際に、蓋４が側溝本体１の長手方向にずれて隣接する蓋とぶつかったり、蓋４が幅方向に移動して側溝本体１とぶつかたりして騒音を発生する場合がある。
【０００８】
そこで、本発明は、側溝を覆う蓋の長手方向および幅方向の移動を抑えて蓋どうしおよび側溝本体とのぶつかりをなくして騒音を低減させることができる側溝の蓋を提供するものである。
【０００９】
【課題を解決するための手段】
本発明の側溝の蓋は、上部が開放された縦断面がＵ字形であって、両側壁の上部の内側に蓋掛け部が形成された側溝に被せる蓋において、蓋の長手方向の一方の端面および幅方向の両側の側面のそれぞれに間隔をおいて一対の球面状の突起を設けたことを特徴とする。
【００１０】
前記構成において、蓋の端面が上面から下面に向かって蓋の内側に傾斜し、隣接する蓋の端面とにより下向きに末広がりの隙間を形成する傾斜面としてもよい。
【００１１】
また、側壁の蓋掛け部に支持される、蓋の下面に凸条を形成してもよい。さらに、凸条が前記蓋掛け部に形成されたへこみに位置決めされる凸条とすることもできる。
【００１２】
【発明の実施の形態】
図１は本発明の蓋の一実施例を示し、（ａ）は蓋の一実施例の正面図、（ｂ）は別実施例の正面図、（ｃ）は平面図、（ｄ）は側面図である。
【００１３】
図１において、蓋４の長手方向の一方の端面にはそれぞれ間隔をおいて一対の球面状の突起６が形成されている。また、蓋の幅方向の両側の側面にもそれぞれ間隔をおいて一対の球面状の突起７が形成されている。突起６，７は、半球あるいは球冠の球面状に形成する。
【００１４】
なお、図１（ｂ）の別実施例に示すように、蓋の下面には曲面状の凸条５を長手方向に形成してもよい。
【００１５】
図２は蓋を側溝に並べた状態の平面図を示し、（ａ）は従来の蓋の例、図２は本発明の蓋の例を示す図、図３（ａ）は蓋を側溝の側壁の蓋掛け部に支持した状態を示めす正面図、（ｂ）は蓋を並べた状態を示す側面図である。
【００１６】
図３（ａ）に示すように、蓋掛け部３は、側溝の外側に向かって傾斜した側面８が形成されており、蓋４を蓋掛け部３の間に入れると、蓋掛け部３の側面８に蓋４の側面に形成された一対の半球状の突起７が点接触して支持される。その結果、蓋４の幅方向の移動が阻止されて、蓋４と側溝本体１とのぶつかりをなくして騒音を低減させることができる。
【００１７】
また、蓋４の下面に凸条５を形成した場合、蓋掛け部３の蓋支持面に形成された位置決め用の凹み９に、凸条５が位置決めされて上下方向のガタつきがなくなる。
【００１８】
図３（ｂ）において、蓋４の端面は、上面から下面に向かって蓋の内側に傾斜させた傾斜面１０に形成する。蓋４を側溝の蓋掛け部３の間に入れると、蓋４の端面に形成された一対の半球状の突起６が隣接する蓋４の傾斜面１０に点接触し、蓋４どうしの  移動が阻止されて、蓋と蓋とのぶつかりをなくして騒音を低減させることができる。
【００１９】
また、蓋どうしの傾斜面１０により下向きに末広がりの隙間１１が形成されるので、隙間１１に落ちたゴミなどは詰まることなく溝に落下するので、集水の妨げになることはない。
【００２０】
【発明の効果】
本発明は、側溝の側面に蓋の両側に設けた半球状の突起が側溝の側面に点接触して蓋と側溝本体とのぶつかりをなくし、また、蓋の端面に形成された突起が隣接する蓋の傾斜面に点接触し、蓋と蓋とのぶつかりをなくすことができるので、騒音を低減させることができる。
【図面の簡単な説明】
【図１】本発明の蓋の一実施例を示し、（ａ）は蓋の一実施例の正面図、（ｂ）は別実施例の正面図、（ｃ）は平面図、（ｄ）は側面図である。
【図２】蓋を側溝に並べた状態の平面図を示し、（ａ）は従来の蓋の例、図２は本発明の蓋の例を示す図である。
【図３】（ａ）は蓋を側溝の側壁の蓋掛け部に支持した状態を示めす正面図、（ｂ）は蓋を並べた状態を示す側面図である。
【図４】従来の蓋付き側溝の断面図である。
【符号の説明】
１：側溝本体      ２ａ，２ｂ：側壁
３：蓋掛け部      ４：蓋
５：凸条          ６，７：曲面状の突起
８：側面          ９：凹み
１０：傾斜面      １１：隙間
【図１】
2004156263.tif 000003
【図２】
2004156263.tif 000004
【図３】
2004156263.tif 000005
【図４】
2004156263.tif 000006